(57)【特許請求の範囲】
【請求項１】
ガイドリングが内側に固定された環状の金属製保持枠と、この保持枠に一体的に形成された、取付脚部を有する支脚と、から構成され、前記取付脚部を縛り糸によって多数回巻いて釣竿に縛り付け、かつ、前記取付脚部の表面に到達するように前記縛り糸表面に接着剤層を塗布形成して釣竿に固定する導糸環であって、
前記取付脚部の表面は、全体的に凹凸形状が形成されるようにあらく加工され、
前記凹凸形状は、前記縛り糸の下端の凹部への食い込みを阻止する面粗度で形成されることにより、前記縛り糸の隙間のない重ね巻きが可能なように形成されるとともに、前記取付脚部の上面の面粗度を最大高さ３２μｍ乃至７５μｍとすることにより形成されていて、
前記接着剤層が、前記縛り糸の下端よりも凹んでいる前記凹部に入り込んで硬化するように構成されている、ことを特徴とする導糸環。
【請求項２】
前記凹凸形状はキャビティ表面に凹凸が形成されている金型を用いて前記取付脚部をプレス加工する際にこの凹凸によって形成されたものである、ことを特徴とする請求項１記載の導糸環。
【発明の詳細な説明】
【０００１】
【発明の属する技術分野】
本発明は釣糸を案内するために釣竿に固定されて取り付けられる釣竿用の導糸環に関する。
【０００２】
【従来の技術】
釣竿に取り付けられて釣糸を案内する釣竿用の導糸環は通常、釣糸が通されるガイドリングと、釣竿に固定されてこのガイドリングを支持するフレームとから構成されていて、フレームはガイドリングが内側に固定された環状の保持枠と、保持枠に一体的に形成された、取付脚部を有する支脚とから形成されている。このような導糸環は取付脚部を釣竿に縛り糸で縛り付けることによりこの釣竿に固定されて取り付けられるが、縛り糸の緩みを防止するために、取付脚部に巻かれた縛り糸には接着剤が塗布されるのが普通である。しかしながら、釣竿の繰り返しの湾曲により縛り糸の縛り力が緩んで取付脚部が縛り糸から抜けてしまうという事態も生じ得る。そこで、例えば特開平８−２５２０４０号公報に記載されているように、取付脚部上面に縛り糸の下側がはまり込むような溝を多数本形成したり、実開昭５３−７３９９６号公報に記載されているように、取付脚部上面にスパイク状の係止突起を多数形成したり、あるいは取付脚部に多数の孔をあけるなどして導糸環の抜け落ちを防止している。
【０００３】
【発明が解決しようとする課題】
取付脚部上面に形成された溝に沿って縛り糸を巻くことにより取付脚部が巻き方向と直交する方向に移動すること、すなわち縛り糸から抜けてしまうことが効果的に防止されるが、溝の幅と比較して径の大きな縛り糸を使用すると抜け止め効果はかなり低下するし、溝の幅と比較して径の小さな縛り糸を使用すると縛り糸が溝内に落ち込んでしまうので縛り糸を隙間なく巻き重ねることができない。また、取付脚部上面にスパイク状の係止突起を形成したり、取付脚部に孔をあけて取付脚部と縛り糸との間の摩擦力を増大させることによっても取付脚部の抜け止め効果を確保することができるが、係止突起を形成したり孔をあけたりする作業は決して簡単なものではなく、このような構成は導糸環の製造コストを増加させてしまう。
【０００４】
そこで、本発明は簡単に形成することができ、しかも縛り糸の巻形状を乱すことのない抜け止め構造を備えた導糸環の提供を目的とする。また、本発明はこのような導糸環の十分な抜け止め機能を有する釣竿への取付構造の提供をも目的とする。
【０００５】
【課題を解決するための手段】
この目的を達成するための本発明の導糸環は、ガイドリングが内側に固定された環状の金属製保持枠と、この保持枠に一体的に形成された、取付脚部を有する支脚と、から構成され、取付脚部を縛り糸によって多数回巻いて釣竿に縛り付け、かつ、取付脚部の表面に到達するように前記縛り糸表面に接着剤層を塗布形成して釣竿に固定する導糸環であって、取付脚部の表面は、全体的に凹凸形状が形成されるようにあらく加工され、凹凸形状は、縛り糸の下端の凹部への食い込みを阻止する面粗度で形成されることにより、縛り糸の隙間のない重ね巻きが可能なように形成されるとともに、取付脚部の上面の面粗度を最大高さ３２μｍ乃至７５μｍとすることにより形成されていて、接着剤層が、縛り糸の下端よりも凹んでいる前記凹部に入り込んで硬化するように構成されているものである。この導糸環を釣竿に取り付けるには、取付脚部を縛り糸によって多数回巻いて釣竿に縛り付け、取付脚部を縛り付けているこの縛り糸表面に接着剤層を塗布形成するわけであるが、接着剤を塗布するにあたっては、接着剤が縛り糸同士の間を通過して取付脚部上面に至り、縛り糸を包むような接着剤の層（接着剤層）が形成されるように十分な量の接着剤を用いる。取付脚部上面に到達した接着剤は、取付脚部上面に形成されている微細な凹凸形状の凹部に入り込んで硬化するので、取付脚部が接着剤の層からずれて移動してしまうことが防止される。したがって、取付脚部と縛り糸とは接着剤の層を介してずれないように保持され、取付脚部は縛り糸から抜けないように固定されることとなる。凹凸形状は取付脚部の上面全体に形成されるのが普通であるが、根本部や後端部あるいは側端部を除いて形成されることもある。
【０００６】
導糸環のフレームは通常、プレス加工によって金属プレートから一体的に形成される。ここで、取付脚部の上面に微細な凹凸形状を形成するためには、導糸環のプレス成型用金型のキャビティの取付脚部上面部分に微細な凹凸を形成しておけばよい。金型のキャビティは通常、放電加工やシボ加工によって形成されるが、キャビティの取付脚部上面部分が表面粗さあるいは面粗度Ｒｍａｘ（最大高さ：最高の山と最低の谷の高さの差）３２μｍ乃至７５μｍにあらく加工されるようにして微細な凹凸を形成しておく。キャビティの取付脚部上面部分がこのようにあらく加工された金型を用いて導糸環を形成すると、取付脚部の上面の面粗度はキャビティの取付脚部上面部分の面粗度に対応してＲｍａｘ３２μｍ乃至７５μｍとなってこの上面に好適な凹凸形状が形成されることとなる。取付脚部の上面の面粗度がＲｍａｘ３２μｍ未満であると凹凸形状の凹部の深さが不十分で取付脚部と接着剤の層との実質的なずれ防止効果を期待できないし、Ｒｍａｘ７５μｍを越えると縛り糸を隙間なく重ね巻きすることが難しくなってしまうのであるが、長期間に亘ってずれ防止効果を維持し、かつ極めて細い縛り糸を容易に隙間なく重ね巻きできるようにするためには、キャビティの取付脚部上面部分あるいは取付脚部の上面の面粗度をＲｍａｘ４０μｍ乃至６５μｍとするのが効果的である。
【０００７】
【発明の実施の形態】
以下、本発明の実施の形態を図面を参照して説明する。
【０００８】
図１は本発明に係る導糸環の斜視図、図２は図１のＡ部拡大図である。
【０００９】
導糸環１のフレーム３は、ステンレスやチタンなどの耐食性金属のプレートに折り曲げ加工や絞り加工などのプレス加工を施して一体的に形成されていて、内側にセラミック製の硬質ガイドリング５が固定された保持枠７と、この保持枠７の左右両側から外側に凸状に湾曲して後方に向かい下降するように延びる一対の支脚９、９と、この支脚９、９の後端に形成された取付脚部１１とから構成されている。取付脚部１１の上面はわずかな両側部分１３（一方側のみ図示）を除いて全体的に面粗度Ｒｍａｘ４０μｍ乃至６５μｍにあらく加工され（両側部分１３はよりなめらかに加工される）、この上面には微細な凹部１５及び凸部１７が連なる凹凸形状１９が形成されている。
【００１０】
取付脚部１１の裏面２１は釣竿の外周面に沿うように幅方向に湾曲して形成されていて、図３に示すように、この取付脚部１１の裏面２１が釣竿Ａの外周面Ｂ上側部分に当接するように導糸環１を配置し、直径０．１ｍｍ乃至０．９ｍｍのナイロン製縛り糸２３を用いて取付脚部１１を釣竿Ａに縛り付ける（図３は導糸環１が取り付けられた釣竿Ａの斜視図）。縛り糸２３は取付脚部１１の根本部２５から後端２７を越えて取付脚部１１よりもかなり後方まで隙間が生じないように巻かれているが、この巻かれている縛り糸２３には前端よりも多少前側から後端よりも多少後側にかけて液状の反応硬化性樹脂接着剤２９が塗布されている。
【００１１】
十分な量の液状の反応硬化性樹脂接着剤２９を塗布することにより接着剤２９は縛り糸２３の間から浸透して取付脚部１１の上面に到達する。取付脚部１１の上面には十分な深さの凹部１５が多数形成さていて、図４に示すように取付脚部１１の上面に到達した接着剤２９はこの凹部１５内に充填された状態で硬化している（図４は接着剤２９の層の形成態様を説明する断面図）。したがって、硬化した接着剤２９の層は縛り糸２３を取り込み、かつ取付脚部１１の上面と係合した状態となっている。
【００１２】
【発明の効果】
以上説明したように、本発明の導糸環は縛り糸の巻き形状に悪影響を与えることのない効果的な抜け止め構造を有するものでありながら、簡単に製造できるものである。
【図面の簡単な説明】
【図１】本発明に係る導糸環の斜視図である。
【図２】図１のＡ部拡大図である。
【図３】本発明に係る導糸環が取り付けられた釣竿の斜視図である。
【図４】接着剤の層の形成態様を説明する断面図である。
【符号の説明】
１                    導糸環
５                  ガイドリング
７                  保持枠
９                  支脚
１１                取付脚部
１９                凹凸形状
２３                縛り糸
２９                接着剤
Ａ                  釣竿
【図１】
0003614685.tif 000002
【図２】
0003614685.tif 000003
【図３】
0003614685.tif 000004
【図４】
0003614685.tif 000005